(57)【要約】【課題】印刷物からの情報の漏洩を防ぎつつ、ユーザーの利便性を損なわないようにする。【解決手段】記録紙に画像を形成する画像形成部１２と、画像形成部１２が記録紙に画像を形成することによって得られた印刷物を保管する保管装置５１と、保管装置５１に保管されている印刷物を裁断する裁断装置５２と、印刷物が保管装置５１に保管されてから予め定められた第１待機時間が経過したと判断した場合に、裁断装置５２の動作を制御することで、印刷物を裁断させる制御部１００と、ユーザーが携帯する携帯装置７１との間で無線通信を行うネットワークインターフェイス部９１と、を備え、制御部１００は、印刷物が保管装置に保管されてから、第１待機時間よりも短い、予め定められた第２待機時間が経過したと判断した場合に、印刷物が裁断される旨を示す警告情報を携帯装置７１へ送信する。【選択図】図１
2020120354.tif 000002
【特許請求の範囲】
【請求項１】
記録紙に画像を形成する画像形成部と、
前記画像形成部が前記記録紙に画像を形成することによって得られた印刷物を保管する保管装置と、
前記保管装置に保管されている前記印刷物を裁断する裁断装置と、
前記印刷物が前記保管装置に保管されてから予め定められた第１待機時間が経過したと判断した場合に、前記裁断装置の動作を制御して前記印刷物を裁断させる制御部と、
ユーザーが携帯する携帯装置との間で無線通信を行う通信部と、を備え、
前記制御部は、前記印刷物が前記保管装置に保管されてから、前記第１待機時間よりも短い、予め定められた第２待機時間が経過したと判断した場合に、前記通信部を介して、前記印刷物が裁断される旨を示す予め定められた警告情報を前記携帯装置へ送信する画像形成装置。
【請求項２】
前記制御部は、前記通信部を介して、前記第１待機時間の延長を要求するか否かをユーザーに問い合わせるための通知を前記携帯装置へ行い、前記通信部を介して、前記第１待機時間の延長を要求するユーザー指示を前記携帯装置から受信すると、前記第１待機時間を延長する請求項１に記載の画像形成装置。
【請求項３】
前記制御部は、前記通信部を介して、前記第１待機時間の延長時間を指定するユーザー指示を前記携帯装置から受信すると、当該受信したユーザー指示が指定する延長時間に従って、前記第１待機時間を延長する請求項２に記載の画像形成装置。
【請求項４】
前記延長時間の長さに応じた金額で課金処理を実行する課金処理部を更に備える請求項３に記載の画像形成装置。
【請求項５】
前記課金処理部は、印刷ジョブの内容に応じた金額で課金処理を実行すると共に、
前記延長時間には予め定められた上限が設けられ、
更に、前記課金処理部は、前記延長時間が上限に設定された場合であっても、前記印刷物を得た印刷ジョブの内容に応じた印刷料金以上にならない金額として、前記延長時間の長さに応じた延長料金を設定して課金処理を行う請求項４に記載の画像形成装置。
【請求項６】
前記印刷物を裁断した履歴を示す履歴情報を、印刷ジョブを要求したユーザー毎に記憶する履歴情報記憶部と、
印刷ジョブを要求したユーザー個人を特定する個人特定部と、を更に備え、
前記制御部は、前記履歴情報記憶部に記憶されている、前記個人特定部により特定されたユーザー個人に対応する履歴情報が示す前記印刷物の裁断頻度に基づいて、当該裁断頻度が予め定められた閾値以上の場合は、当該裁断頻度が当該閾値よりも低い場合よりも前記第２待機時間を短くして、前記第２待機時間の長さを設定する請求項１乃至請求項５のいずれかに記載の画像形成装置。
【発明の詳細な説明】
【技術分野】
【０００１】
本発明は、印刷物からの情報の漏洩を防止する技術に関する。
【背景技術】
【０００２】
下記の特許文献１に、プリンターでの印刷が完了するまでに、ユーザーが携帯する携帯装置とプリンターとの距離が予め定められたしきい値以上になると、印刷物を取り忘れている旨を当該携帯装置に出力することが記載されている。例えば、下記の特許文献１には、コンビニエンスストアに設置されているプリンターでの印刷が完了するまでに、ユーザーが当該コンビニエンスストアから退店すると、印刷物を取り忘れている旨を当該携帯装置に出力することが記載されている。
【０００３】
また、下記の特許文献１には、印刷物をロック可能な出力ボックスで保管し、一定時間が経過すると、出力ボックス内にある印刷物をシュレッダーで裁断することが記載されている。
【先行技術文献】
【特許文献】
【０００４】
【特許文献１】特開２０１７−１４６８２７号公報
【発明の概要】
【発明が解決しようとする課題】
【０００５】
印刷中にユーザーがプリンターから離れると、印刷物をユーザー以外の第三者に見られたり、持ち去られたりする危険性がある。印刷物には個人情報など、秘密にしておきたい情報が含まれている場合があるので、印刷物が第三者に見られたり、持ち去られたりするのは情報の漏洩になり、セキュリティ上問題である。
【０００６】
上記の特許文献１に記載された発明は、印刷物をロック可能な出力ボックスで保管することで、情報の漏洩を防ぐことができる。また、一定時間が経過すると、保管している印刷物を裁断するが、印刷物が裁断されてしまうと、もう一度、印刷を行わなければならず、ユーザーに再印刷のコストや手間を掛けさせてしまい、利便性が低下する。また、記録紙を無駄に消費してしまうことにもなる。
【０００７】
本発明は、上記の事情に鑑みなされたものであり、印刷物からの情報の漏洩を防ぎつつ、ユーザーの利便性を損なわないようにすることを目的とする。
【課題を解決するための手段】
【０００８】
本発明の一局面に係る画像形成装置は、記録紙に画像を形成する画像形成部と、前記画像形成部が前記記録紙に画像を形成することによって得られた印刷物を保管する保管装置と、前記保管装置に保管されている前記印刷物を裁断する裁断装置と、前記印刷物が前記保管装置に保管されてから予め定められた第１待機時間が経過したと判断した場合に、前記裁断装置の動作を制御して前記印刷物を裁断させる制御部と、ユーザーが携帯する携帯装置との間で無線通信を行う通信部と、を備え、前記制御部は、前記印刷物が前記保管装置に保管されてから、前記第１待機時間よりも短い、予め定められた第２待機時間が経過したと判断した場合に、前記通信部を介して、前記印刷物が裁断される旨を示す予め定められた警告情報を前記携帯装置へ送信する。
【発明の効果】
【０００９】
本発明によれば、保管装置で保管されている印刷物が裁断される前に、当該印刷物が裁断される旨を示す警告情報が、ユーザーが携帯する携帯装置へ送信される。これにより、ユーザーに裁断までの時間が迫っていることを気づかせ、裁断の回避をユーザーに促すことが可能となる。従って、情報の漏洩を防ぎつつ、ユーザーの利便性を損なわないようにすることができる。また、記録紙が無駄に消費されるのを防ぐことも可能となる。
【図面の簡単な説明】
【００１０】
【図１】本発明の第１実施形態に係る画像形成装置の主要内部構成を概略的に示した機能ブロック図である。
【図２】第１実施形態に係る画像形成装置の制御ユニットで行われる処理動作の一例を示したフローチャートである。
【図３】携帯装置の表示部に表示される操作画面の一例を示した図である。
【図４】第２実施形態に係る画像形成装置の主要内部構成を概略的に示した機能ブロック図である。
【図５】履歴情報記憶部に記憶されるデータ構成の一例を示した図である。
【発明を実施するための形態】
【００１１】
以下、本発明の一実施形態に係る画像形成装置について図面を参照して説明する。図１は、本発明の第１実施形態に係る画像形成装置の主要内部構成を概略的に示した機能ブロック図である。
【００１２】
第１実施形態に係る画像形成装置は、例えば、コピー機能、プリンター機能、スキャン機能、及びファクシミリ機能のような複数の機能を兼ね備えた複合機である。画像形成装置１は、制御ユニット１０、原稿給送部６、原稿読取部５、画像形成部１２、定着部１３、給紙部１４、複数の保管装置５１Ａ，５１Ｂ（以降、まとめて「保管装置５１」とも称す）、近距離通信部３１、操作部４７、及びネットワークインターフェイス部９１を備える。また、画像形成装置１は、課金装置１１０が接続可能に構成されている。
【００１３】
課金装置１１０（例えば、コインベンダー）は、金銭の投入を受け付け、印刷についての料金を徴収し、残金を払い戻しする既知の装置である。課金装置１１０は、図略の金銭投入口、金銭が投入されたことを検知するための投入検知センサー、投入された金銭の種類を識別するための種類識別センサー、残金表示部、及び金銭返却口などを備える。課金装置１１０は、既知の技術により、投入された金額の認識、行われた印刷に応じて当該金額を減算する課金（後述する課金処理部１０２からの指示に従って行う）、課金後の残額の認識等を行う。なお、課金装置１１０は、画像形成装置１の制御部１００による制御の下で動作する。
【００１４】
画像形成装置１で原稿読取動作が行われる場合について説明する。原稿給送部６により搬送されてきた原稿、又は図略のコンタクトガラスに載置されている原稿の画像を、原稿読取部５が光学的に読み取り、そして画像データを生成する。原稿読取部５により生成された画像データは、図略の画像メモリー等に保存される。
【００１５】
画像形成装置１で画像形成動作が行われる場合について説明する。原稿読取動作により生成された画像データ、又はネットワーク接続された外部装置２０としてのコンピューターから受信した画像データ等に基づいて、画像形成部１２が、給紙部１４から給紙される記録紙にトナー像を形成する。
【００１６】
定着部１３は、画像形成部１２によりトナー像が形成された記録紙を加熱及び加圧して、トナー像を記録紙に定着させるものであり、定着処理が施された記録紙はロック可能な保管装置５１へ出力されて保管される。給紙部１４は、給紙カセットを備える。
【００１７】
保管装置５１Ａ，５１Ｂはそれぞれ、画像形成部１２が記録紙に画像を形成することによって得られた印刷物が蓄積され、当該印刷物を保管する装置である。保管装置５１Ａ，５１Ｂは、保管している印刷物を裁断するシュレッダー機能を有する裁断装置５２Ａ，５２Ｂ（以降、まとめて「裁断装置５２」とも称す）を備える。保管装置５１Ａ，５１Ｂは、例えば、内部に印刷物を積載して収容可能な鍵（例えば暗証番号の入力により解錠する機構）付きの箱である。なお、保管装置５１Ａ，５１Ｂにはそれぞれボックス番号が設定されている。
【００１８】
近距離通信部３１は、ＮＦＣ（Near Field Communication）、Bluetooth（登録商標）、又は無線ＬＡＮ等の近距離無線通信方式を用いて、ユーザーが携帯する携帯装置７１との間で無線通信を行う通信装置である。
【００１９】
携帯装置７１は、ＮＦＣ通信等の近距離通信用のインターフェイス部及び無線ＬＡＮ通信用のインターフェイス部と表示部７２とを備えると共に、当該携帯装置７１の位置情報を取得することが可能であり、例えば、スマートフォンが挙げられる。
【００２０】
操作部４７は、指示の入力を受け付けるためのハードキー等を有し、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネル機能を有しており、操作者は画面表示されるボタンやキーに触れて画像形成装置１を操作するための指示を入力する。
【００２１】
ネットワークインターフェイス部９１は、ローカルエリア内、又はインターネット上の端末装置やサーバー等の外部装置２０や携帯装置７１と種々のデータの送受信を行うものである。なお、ネットワークインターフェイス部９１は、特許請求の範囲における通信部の一例である。
【００２２】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、ＭＰＵ（Micro Processing Unit）等である。制御ユニット１０は、制御部１００と、操作受付部１０１と、課金処理部１０２とを備えている。
【００２３】
制御ユニット１０は、図示しないＨＤＤ（Hard Disk Drive）に記憶されている制御プログラムに従った上記プロセッサーによる動作により、制御部１００、操作受付部１０１、及び課金処理部１０２として機能するものである。但し、制御部１００等は、制御ユニット１０による制御プログラムに従った動作によらず、それぞれハードウェア回路により構成することも可能である。以下、特に触れない限り、各実施形態について同様である。
【００２４】
制御部１００は、画像形成装置１の全体的な動作制御を司る。制御部１００は、原稿給送部６、原稿読取部５、画像形成部１２、定着部１３、給紙部１４、保管装置５１、近距離通信部３１、操作部４７、及びネットワークインターフェイス部９１と接続され、これら各部の駆動制御等を行う。例えば、制御部１００は、画像形成装置１の近距離通信部３１に近付けられた携帯装置７１からＮＦＣ通信等によって、携帯装置７１に記憶されている個人情報（例えば、ＩＤコード、当該携帯装置７１のＩＰアドレス）を取得する。
【００２５】
また、制御部１００は、印刷物が保管装置５１に保管されてから予め定められた第１待機時間Ｔ１（例えば、２０分）が経過したと判断した場合に、裁断装置５２の動作を制御して、裁断装置５２により保管装置５１に保管されている印刷物を裁断させる。なお、制御部１００は、第１待機時間Ｔ１を記憶しており、操作部４７を介してユーザーから操作受付部１０１に受け付けられる指示に従って、第１待機時間Ｔ１を延長する。
【００２６】
操作受付部１０１は、操作部４７を介したユーザーからの操作入力を受け付ける。例えば、操作受付部１０１は、操作部４７が備えるハードキーに対するユーザーからの指示を受け付け、更には、表示部４７３に表示されている操作画面に対するユーザーからの指示を、表示部４７３が有するタッチパネル機能により受け付ける。
【００２７】
例えば、操作受付部１０１が、ユーザーからのコピー指示を受け付けると、制御部１００が、原稿読取部５に原稿を読み取らせ、原稿読取部５による読み取りで得られた画像データに基づいて、画像形成部１２に画像を記録紙に形成させる。画像が記録紙に形成されてなる印刷物は保管装置５１内に排出される。これにより、印刷物が第三者に見られたり持ち去られることを防止する。
【００２８】
なお、印刷物の出力先となる保管装置５１のボックス番号や当該保管装置５１を解錠するための暗証番号については、操作受付部１０１がユーザーからのコピー指示を受け付けたときに、制御部１００が、表示部４７３に表示する。これにより、暗証番号がユーザーに伝えられる。具体的には、制御部１００が、暗証番号をランダムに設定し、空いている保管装置５１のボックス番号に対応付けて、当該設定した暗証番号を記憶し、その後、当該ボックス番号及び当該暗証番号を表示部４７３に表示する。
【００２９】
次に、保管装置５１に保管されている印刷物がユーザーに取り出されるまでの一連の流れについて説明する。操作受付部１０１が、ユーザーの操作部４７の操作に基づいてユーザーから印刷物の取り出し要求を受け付けると、制御部１００が、例えば「ボックス番号を入力してください」のメッセージが記された操作画面を表示部４７３に表示させる。これにより、ボックス番号の入力をユーザーに促す。
【００３０】
操作受付部１０１が、ユーザーの操作部４７の操作に基づいてユーザーからボックス番号を受け付けると、制御部１００が、例えば「暗証番号を入力してください」といったメッセージが記された操作画面を表示部４７３に表示させる。これにより、暗証番号の入力をユーザーに促す。制御部１００は、操作受付部１０１が受け付けたユーザー入力の暗証番号と当該ボックス番号に対応付けて記憶されている暗証番号とが一致すると判断した場合（すなわち、解錠条件が成立した場合）に、当該ボックス番号に対応する保管装置５１を解錠する。これにより、ユーザーは保管装置５１から印刷物を取り出すことができるようになる。なお、制御部１００は、印刷料金Ｃ１の徴収を上記解錠条件の一つとして保管装置５１を解錠する。
【００３１】
課金処理部１０２は、印刷ジョブの内容に応じて印刷料金Ｃ１を設定し、当該設定した印刷料金Ｃ１をユーザーから徴収するための課金処理を実行する。例えば、制御部１００が、ユーザー操作に応じて設定された印刷ジョブの内容に従って、画像形成部１２を制御することで印刷ジョブを実行し、当該印刷ジョブの実行が終了すると、課金処理部１０２は、当該印刷ジョブの内容（印刷枚数等）に応じて、課金のカウントアップを要求する信号を課金装置１１０へ送信する。
【００３２】
後で詳しく説明するが、第１待機時間Ｔ１がユーザー指示によって延長された場合、延長料金Ｃ２を発生させるので、課金処理部１０２は、第１待機時間Ｔ１の延長時間ＴＥの長さに応じて延長料金Ｃ２を設定し、当該設定した延長料金Ｃ２をユーザーから徴収するための課金処理を実行する。従って、延長料金Ｃ２が発生した場合には、当該延長料金Ｃ２の徴収も上記解錠条件の一つとなる。
【００３３】
なお、保管装置５１の空きが逼迫するのを避けるために、延長時間ＴＥについては上限（例えば、２０分）を設けるのが好ましい。また、課金処理部１０２は、延長時間ＴＥが上限に設定されたとしても、延長時間ＴＥの長さに応じた延長料金Ｃ２は、印刷料金Ｃ１以上にならないように設定する。延長料金Ｃ２が印刷料金Ｃ１よりも高ければ、再印刷する方が安くなり、費用の点で、印刷物を急いで取りに行く利点が無くなるからである。
【００３４】
例えば、課金処理部１０２は、印刷料金Ｃ１が３００円である場合、延長時間ＴＥが上限２０分のときの延長料金Ｃ２は３００円以上にならないようにする。例えば、課金処理部１０２は、延長時間ＴＥが上限の２０分に設定されている場合、延長料金Ｃ２を印刷料金Ｃ１の７５％相当（２３０円）に設定する。同様に、延長時間ＴＥが１５分である場合、延長料金Ｃ２を印刷料金Ｃ１の５０％相当（１５０円）に、延長時間ＴＥが１０分である場合、印刷料金Ｃ１の２５％相当（８０円）に、延長時間ＴＥが５分と短い場合、無料に設定する。印刷料金Ｃ１「３００円」の７５％は２２５円であるが、印刷単価は１０円であることが多いので、印刷単価未満を繰り上げ、印刷料金Ｃ１「３００円」の７５％相当を２３０円としている。
【００３５】
次に、第１実施形態に係る画像形成装置１の制御ユニット１０で行われる処理動作の一例について、図２に示したフローチャートに基づいて説明する。なお、この処理動作は、印刷ジョブが終了した時点で行われる処理動作である。また、このとき、課金処理部１０２は、印刷ジョブの内容に応じて印刷料金Ｃ１を設定している。
【００３６】
まず、制御部１００は、初期設定として、印刷物を裁断するまでの第１待機時間Ｔ１を延長したことを示す延長フラグＦを０に設定すると共に（Ｓ１）、制御ユニット１０に内蔵されているタイマーＴを０にリセットし、当該タイマーＴを用いて、印刷物が保管装置５１に保管されてからの経過時間の計測を開始する（Ｓ２）。
【００３７】
制御部１００は、印刷物が保管装置５１に保管されてから予め定められた第２待機時間Ｔ２が経過しているか否かを判断する（Ｓ３）。第２待機時間Ｔ２は、第１待機時間Ｔ１よりも短い時間であり、例えば、第１待機時間Ｔ１が２０分であれば、第２待機時間Ｔ２は１５分に設定される。
【００３８】
制御部１００は、第２待機時間Ｔ２が経過していないと判断した場合（Ｓ３でＮＯ）、保管装置５１が解錠されたか否かを判断し（Ｓ４）、保管装置５１が解錠されたと判断した場合（Ｓ４でＹＥＳ）、ユーザーが保管装置５１に保管されていた印刷物を取り出したと認められるので、この処理動作を終了する。このとき、制御部１００は、暗証番号の入力及び印刷料金Ｃ１の徴収を上記解錠条件の一つとして保管装置５１を解錠する。
【００３９】
一方、制御部１００が、保管装置５１は解錠されていないと判断した場合（Ｓ４でＮＯ）、処理はＳ３に戻る。
【００４０】
一方、制御部１００は、第２待機時間Ｔ２が経過していると判断した場合（Ｓ３でＹＥＳ）、ネットワークインターフェイス部９１を介して、印刷物が間もなく裁断される旨を示す予め定められた警告情報を、近距離通信部３１を用いて事前に取得したＩＰアドレスに該当する携帯装置７１へ送信すると共に、第１待機時間Ｔ１の延長を要求するか否かをユーザーに問い合わせるための通知を当該携帯装置７１へ行う（Ｓ５）。
【００４１】
例えば、「もう少しで印刷した文書が裁断されます。取りに来てください。」というようなメッセージＭ１（図３を参照）を有する警告情報と一緒に、第１待機時間Ｔ１の延長時間ＴＥに対する選択肢、及び「料金を払うことで、裁断するまでの時間を一度だけ延長することができます。延長しますか？」というようなメッセージＭ２（図３を参照）を有する選択情報が画像形成装置１から携帯装置７１へ送信される。
【００４２】
携帯装置７１は、画像形成装置１から送信されてきた警告情報や選択情報が示すメッセージＭ１，Ｍ２、そして当該選択情報が示す選択肢を選択ボタンとして表示部７２に表示する機能を有すると共に、第１待機時間Ｔ１の延長を要求するユーザー指示を受け付け、当該受け付けたユーザー指示を画像形成装置１へ送信する機能を有するアプリケーションを備えている。従って、印刷物が保管装置５１に保管されてから第２待機時間Ｔ２が経過すると、図３に例を示すように、上記したようなメッセージＭ１，Ｍ２及び選択ボタンＢ１乃至Ｂ４を含んでなる操作画面Ｇ１が携帯装置７１の表示部７２に表示される。選択ボタンＢ１乃至Ｂ４には、それぞれ画像形成装置１に指示する延長時間が表示されている。選択ボタンＢ１乃至Ｂ４の近傍には、当該表示されている延長時間に対応する延長料金を示す画像Ｅ１〜Ｅ３が表示される。
【００４３】
選択ボタンＢ１乃至Ｂ４のいずれかがユーザーによって操作され、携帯装置７１が第１待機時間Ｔ１の延長時間ＴＥを指定するユーザー指示を携帯装置７１が受け付けると、携帯装置７１は当該受け付けたユーザー指示を画像形成装置１へ送信する。例えば、ユーザーが選択ボタンＢ２を操作した場合、携帯装置７１は「延長時間を１０分に指定する」というユーザー指示を画像形成装置１へ送信する。このとき、ユーザーは、上記画像Ｅ１〜Ｅ３により、指定する延長時間についての延長料金を確認することができる。
【００４４】
続いて、画像形成装置１の制御部１００は、第１待機時間Ｔ１の延長を要求するユーザー指示があったか否かを判断する（Ｓ６）。具体的には、制御部１００は、ネットワークインターフェイス部９１を介して、携帯装置７１から送信されてくる延長時間ＴＥを指定するユーザー指示を受信したか否かを判断する。
【００４５】
制御部１００は、当該ユーザー指示があったと判断した場合（Ｓ６でＹＥＳ）、当該受信したユーザー指示が示す延長時間ＴＥを第１待機時間Ｔ１に加算して、第１待機時間Ｔ１を新たな第１待機時間Ｔ１に更新し（Ｓ８）、延長フラグＦを１に設定する（Ｓ９）。課金処理部１０２は、延長時間ＴＥの長さに応じて延長料金Ｃ２を設定して印刷料金Ｃ１に加算する（Ｓ１０）。この後、処理はＳ１１へ進む。
【００４６】
一方、制御部１００は、第１待機時間Ｔ１の延長を要求するユーザー指示がなかったと判断した場合（Ｓ６でＮＯ）、Ｓ７乃至Ｓ１０をスキップして、処理はＳ１１へ進む。
【００４７】
制御部１００は、印刷物が保管装置５１に保管されてから第１待機時間Ｔ１が経過しているか否かを判断し（Ｓ１１）、第１待機時間Ｔ１が経過していると判断した場合（Ｓ１１でＹＥＳ）、制御部１００は、裁断装置５２の動作を制御することで、保管装置５１に保管されている印刷物を裁断させ（Ｓ１２）、この処理動作を終了する。
【００４８】
一方、制御部１００は、第１待機時間Ｔ１が経過していないと判断した場合（Ｓ１１でＮＯ）、保管装置５１が解錠されたか否かを判断し（Ｓ１３）、保管装置５１が解錠されたと判断した場合（Ｓ１３でＹＥＳ）、ユーザーが保管装置５１に保管されていた印刷物を取り出したと認められるので、この処理動作を終了する。このとき、制御部１００は、暗証番号の入力と、印刷料金Ｃ１及び延長料金Ｃ２の徴収とを上記解錠条件の一つとして保管装置５１を解錠する。
【００４９】
制御部１００は、保管装置５１は解錠されていないと判断した場合（Ｓ１３でＮＯ）、延長フラグＦが１であるか否かを判断し（Ｓ１４）、延長フラグＦが１であると判断した場合（Ｓ１４でＹＥＳ）、処理はＳ１１へ戻り、延長フラグＦが１でないと判断した場合（Ｓ１４でＮＯ）、処理はＳ６へ戻る。
【００５０】
上記第１実施形態によれば、保管装置５１で保管されている印刷物が裁断される前に、当該印刷物が裁断される旨を示す警告情報が、ユーザーが携帯する携帯装置７１へ送信される。これにより、ユーザーに裁断までの時間が迫っていることを気づかせ、裁断の回避をユーザーに促すことが可能となる。従って、情報の漏洩を防ぎつつ、ユーザーの利便性を損なわないようにすることができる。また、記録紙が無駄に消費されるのを防ぐことも可能となる。
【００５１】
また、裁断までの第１待機時間Ｔ１をユーザーが要求すれば延長することができるので、ユーザーが印刷物を取りに戻っている途中で第１待機時間Ｔ１が経過し、印刷物が裁断されるといったユーザーにとって好ましくない事態が生じるのを回避することが可能となる。
【００５２】
なお、上記第１実施形態では、第１待機時間Ｔ１の延長時間ＴＥをユーザーが指定する場合について説明しているが、別の実施形態では、単純に、第１待機時間Ｔ１の延長だけをユーザーが要求するようにし、当該要求を受信すると、制御部１００が第１待機時間Ｔ１を予め定められた長さ（例えば、１０分）だけ延長するようにしてもよい。
【００５３】
図４は、第２実施形態に係る画像形成装置の主要内部構成を概略的に示した機能ブロック図である。第２実施形態に係る画像形成装置は、制御ユニット１０が個人特定部１０３及び履歴情報記憶部１０４を備え、更には、制御部１００が、第２待機時間Ｔ２の長さを変更する機能を有する点で、図１に示した画像形成装置１と相違する。
【００５４】
個人特定部１０３は、印刷ジョブを要求したユーザー個人を特定する。具体的には、個人特定部１０３は、画像形成装置１の近距離通信部３１に近付けられた携帯装置７１からＮＦＣ通信等によって、制御部１００が携帯装置７１から取得した個人情報（ＩＤコード）からユーザー個人を特定する。
【００５５】
履歴情報記憶部１０４は、印刷物の裁断履歴に関する履歴情報を、印刷ジョブを要求したユーザー毎に記憶する。例えば、図５に示すように、履歴情報記憶部１０４は、ユーザーのＩＤコードに対応付けて、印刷ジョブの履歴及び印刷物の裁断履歴に関する情報を記憶する。従って、履歴情報記憶部１０４に記憶されている履歴情報を用いることで、ユーザーそれぞれの印刷物の裁断頻度を算出することができる。
【００５６】
制御部１００は、履歴情報記憶部１０４に記憶されている、個人特定部１０３により特定されたユーザー個人に対応する履歴情報が示す印刷物の裁断頻度に基づいて、当該裁断頻度が予め定められた閾値以上の場合は、当該裁断頻度が当該閾値よりも低い場合よりも第２待機時間Ｔ２が短くなるように、第２待機時間Ｔ２の長さを設定する。
【００５７】
例えば、制御部１００は、裁断頻度が上記閾値よりも低い場合は、第２待機時間Ｔ２を１５分に設定するが、裁断頻度が上記閾値以上である場合は、第２待機時間Ｔ２を１０分に設定する。これにより、印刷物の取り忘れが多いユーザーには、図３に示したような警告情報を早めに通知することが可能となる。
【００５８】
本発明は上記実施の形態の構成に限られず種々の変形が可能である。また、上記実施形態では、本発明に係る画像形成装置の一実施形態として複合機を用いて説明しているが、これは一例に過ぎず、コピー機能やプリンター機能を有した他の画像形成装置でもよい。
【００５９】
また、上記実施形態では、図１乃至図５を用いて上記実施形態により示した構成及び処理は、本発明の一実施形態に過ぎず、本発明を当該構成及び処理に限定する趣旨ではない。
【符号の説明】
【００６０】
１        画像形成装置
１２      画像形成部
５１      保管装置
５２      裁断装置
７１      携帯装置
９１      ネットワークインターフェイス部
１００    制御部
１０１    操作受付部
１０２    課金処理部
１０３    個人特定部
１０４    履歴情報記憶部
【図１】
2020120354.tif 000003
【図２】
2020120354.tif 000004
【図３】
2020120354.tif 000005
【図４】
2020120354.tif 000006
【図５】
2020120354.tif 000007